(57)【要約】  【課題】可燃性冷媒を用いた冷蔵庫において、冷却器と除霜ヒータを一体化することで冷却システムユニットの小型化を実現して貯蔵スペースを増量できる冷蔵庫を提供する。  【解決手段】冷媒管８および複数のフィンからなる冷却器７と、ガラス管とキャップ１１とからなるラジアントヒータ１０とを備え、可燃性冷媒を用いた冷蔵庫において、ラジアントヒータ１０はフィンの最下面の切り欠き部に接して配置し、少なくともラジアントヒータ１０のガラス管の直径方向の半分以上をフィン内側に埋設し、フィン両端からラジアントヒータのガラス管を突出させて除霜ヒータの熱が両端の冷却フィンの外側まで伝導することで温度上昇を均一にし霜残り防止と除霜時間を短縮することができ、また冷却器と除霜ヒータを一体化することで冷却システムユニットの小型化を実現できる。【選択図】図１
2007298212.tif 000002
【特許請求の範囲】
【請求項１】
冷媒管および複数のフィンからなる冷却器と、ガラス管とキャップとからなるラジアントヒータとを備え、可燃性冷媒を用いた冷蔵庫において、前記ラジアントヒータは前記フィンの最下面の切り欠き部に接して配置し、少なくとも前記ラジアントヒータのガラス管の直径方向の半分以上を前記フィン内側に埋設し、前記フィン両側端から前記ラジアントヒータのガラス管が突出したことを特徴とする冷蔵庫。
【請求項２】
前記冷却器のフィンは複数段有し、最下段に配置した両端フィンの設置幅がその他段のフィンの設置幅より少ないことを特徴とする請求項１に記載の冷蔵庫。
【請求項３】
前記ラジアントヒータを冷却管から吊り下げたことを特徴とする請求項１または２に記載の冷蔵庫。
【請求項４】
前記冷却器のフィンは複数段有し、両端フィンだけが１枚のフィンで斜め取付けして構成し、下方になるほど両端フィンの設置幅が小さくなることを特徴とする請求項１から３のいずれか一項に記載の冷蔵庫。
【請求項５】
前記冷却器のフィンは複数段有し、両端フィンだけが１枚のフィンで屈曲して取付けして構成し、下方になるほど両端フィンの設置幅が小さくなることを特徴とする請求項１から３のいずれか一項に記載の冷蔵庫。
【請求項６】
前記冷却器のフィンは複数段有し、最下段に配置した両端フィンの設置幅がその他段のフィンの設置幅より多いことを特徴とする請求項１に記載の冷蔵庫。
【発明の詳細な説明】
【技術分野】
【０００１】
本発明は、安価な除霜ヒータを採用しても安全性を確保できる可燃性冷媒を用いた冷蔵庫に関するものである。
【背景技術】
【０００２】
近年、冷蔵庫は可燃性冷媒を用いて脱フロン化が進んでおり、環境に配慮することが必要不可決である。そのため万が一可燃性冷媒が冷蔵庫内に洩れた場合でも除霜ヒータの表面温度が発火温度に至らないよう除霜ヒータのガラス管を二重構造にし昇温を防止するようになってきている（例えば、特許文献１参照）。
【０００３】
以下、図面を参照しながら、上記従来の冷蔵庫について説明する。
【０００４】
図４は、特許文献１に記載された従来の冷蔵庫の冷却器１を示すものであり、冷媒が蒸発しながら循環する冷媒管２と熱交換する冷却フィン３とより成っている。冷却器１下部にはラジアントヒータ４（除霜ヒータ）が除霜水の水かかり防止用の傘６を両端のキャップ５で保持して構成している。
【０００５】
上記構成において、冷却器１に付いた霜は一定時間ごとにラジアントヒータ４を通電させて、冷却器１から落下してくる除霜水が直接ラジアントヒータ４にかからないよう傘６で避けながら除霜させる。
【特許文献１】特開２００３−９０６７２号公報
【発明の開示】
【発明が解決しようとする課題】
【０００６】
しかしながら、上記従来の冷蔵庫では、万が一可燃性冷媒が冷蔵庫内に洩れた場合でも除霜ヒータの表面温度が発火温度に至らないよう除霜ヒータのガラス管を二重構造にして昇温を防止する必要があり高価な除霜ヒータを採用しなければならない、また冷却器とは別に除霜装置を設けなくてはならないため冷却システムユニットが大きくなり貯蔵スペースを大きく確保できないという課題を有していた。
【０００７】
本発明は上記従来の課題を解決するものであり、冷却器に除霜ヒータを直接接触させることにより一重管の安価な除霜ヒータでもガラス管の表面温度の昇温を防止することができ、除霜ヒータの熱伝導を均一化することにより霜残り防止と除霜時間を短縮することができ、冷却器と除霜ヒータを一体化することで冷却システムユニットの小型化を実現して貯蔵スペースを増量できる冷蔵庫を提供することを目的とする。
【課題を解決するための手段】
【０００８】
上記従来の課題を解決するために、本発明の冷蔵庫は、冷媒管および複数のフィンからなる冷却器と、ガラス管とキャップとからなるラジアントヒータとを備え、可燃性冷媒を用いた冷蔵庫において、前記ラジアントヒータは前記フィンの最下面の切り欠き部に接して配置し、少なくとも前記ラジアントヒータのガラス管の直径方向の半分以上を前記フィン内側に埋設し、前記フィン両側端から前記ラジアントヒータのガラス管が突出したものである。
【０００９】
これによって一重管の安価な除霜ヒータを採用しても冷却フィンと直接接触して放熱するためガラス管の表面温度の昇温を防止することができ、また除霜ヒータの熱が両端の冷却フィンの外側まで伝導することで温度上昇を均一にして霜残り防止と除霜時間を短縮することができ、また冷却器と除霜ヒータを一体化することで冷却システムユニットの小型化を実現できる。
【発明の効果】
【００１０】
本発明の冷蔵庫は、一重管の安価な除霜ヒータを採用しても冷却フィンと直接接触して放熱するためガラス管の表面温度の昇温を防止することができ、また除霜ヒータの熱伝導を均一化することにより霜残り防止と除霜時間を短縮することができ、また冷却器と除霜ヒータを一体化することで冷却システムユニットの小型化を実現して貯蔵スペースを増量させることができる。
【発明を実施するための最良の形態】
【００１１】
請求項１に記載の発明は、冷媒管および複数のフィンからなる冷却器と、ガラス管とキャップとからなるラジアントヒータとを備え、可燃性冷媒を用いた冷蔵庫において、前記ラジアントヒータは前記フィンの最下面の切り欠き部に接して配置し、少なくとも前記ラジアントヒータのガラス管の直径方向の半分以上を前記フィン内側に埋設し、前記フィン両側端から前記ラジアントヒータのガラス管が突出したものであり、一重管の安価な除霜ヒータを採用しても冷却フィンと直接接触して放熱するためガラス管の表面温度の昇温を防止することができ、また前記フィン両端から前記ラジアントヒータのガラス管が突出したことで除霜ヒータの熱が両端の冷却フィンの外側まで伝導させて温度上昇を均一にして霜残り防止と除霜時間を短縮することができ、また冷却器と除霜ヒータを一体化することで冷却システムユニットの小型化を実現して貯蔵スペースを増量させることができる。
【００１２】
請求項２記載の発明は、請求項１に記載の発明において、冷却器のフィンは複数段有し、最下段に配置した両端フィンの設置幅がその他段のフィンの設置幅より少ないことにより、除霜を均一に且つ確実に行うと共に除霜速度にムラが生じなくなり除霜時間を短縮することができる。
【００１３】
請求項３記載の発明は、請求項１または２に記載の発明において、ラジアントヒータを冷却管から吊り下げたことにより、安価で組立性を向上することができる。
【００１４】
請求項４記載の発明は、請求項１から３のいずれか一項に記載の発明において、冷却器のフィンは複数段有し、両端フィンだけが１枚のフィンで斜め取付けして構成し、下方になるほど両端フィンの設置幅が小さくなることにより、除霜を均一に且つ確実に行うと共に除霜速度にムラが生じなくなり除霜時間を短縮することができる。
【００１５】
請求項５記載の発明は、請求項１から３のいずれか一項に記載の発明において、冷却器のフィンは複数段有し、両端フィンだけが１枚のフィンで屈曲して取付けして構成し、下方になるほど両端フィンの設置幅が小さくなることにより、除霜を均一に且つ確実に行うと共に除霜速度にムラが生じなくなり除霜時間を短縮することができる。
【００１６】
請求項６記載の発明は、請求項１に記載の発明において、冷却器のフィンは複数段有し、最下段に配置した両端フィンの設置幅がその他段のフィンの設置幅より多いことにより、さらに除霜を均一に且つ確実に行うと共に除霜速度にムラが生じなくなり除霜時間を短縮することができる。
【００１７】
以下、本発明の実施の形態について、図面を参照しながら説明する。なお、この実施の形態によってこの発明が限定されるものではない。
【００１８】
（実施の形態１）
図１は本発明の実施の形態１における冷蔵庫の冷却器の正面図、図２は除霜時の熱対流伝導説明図、図３（ａ）（ｂ）（ｃ）は両端冷却フィン構造による除霜時の熱対流伝導説明図である。
【００１９】
図１から図３において、７は冷蔵庫の冷却器を示すものであり冷媒が蒸発しながら循環する冷媒管８と熱交換する上下２段に分かれた冷却フィン９ａと９ｂとより成っている。
【００２０】
冷却フィン９ｂの最下面には側部折曲形状１３と天部フランジ形状１４とで構成する切り欠き形状１６を配し、両端にキャップ１１を有したラジアントヒータ１０（除霜ヒータ）が挿入してあり、両端の冷却フィン９ｂからラジアントヒータ１０のガラス管を突出させてホルダー１６で引っ掛け固定してある。また、冷却フィン９ｂに貫通させて傘１２が「く」の字型に成型して挿入して固定してある。
【００２１】
以上のように構成された冷蔵庫について、以下その動作、作用を説明する。
【００２２】
冷却器７に付いた霜は一定時間ごとにラジアントヒータ１０を通電させて、冷却器７から落下してくる除霜水が直接ラジアントヒータ１０にかからないよう傘１２で避けながら除霜させる。冷却フィン９ｂの最下面に設けた側部折曲形状１３と天部フランジ形状１４とがラジアントヒータ１０に直接接触させることでラジアントヒータ１０が発熱しても冷却フィン９ｂに伝導拡散することで一重管の安価な除霜ヒータでもガラス管の表面温度の過剰な昇温を防止することができ、また天部フランジ形状１４のフランジを小さくすることでガラス管表面の熱こもり昇温せず除霜に必要な遠赤外線を天部から冷却器７に照射することができ、万が一可燃性冷媒が冷蔵庫内に洩れた場合でも除霜ヒータの表面温度が発火温度に至らない。
【００２３】
冷却フィン９を上下２段の冷却フィン９ａと９ｂに分けており、上段両端フィン幅１５ａより下段両端フィン幅１５ｂが小さく配置して、ラジアントヒータ１０は両端の冷却フィン９ｂから外側にガラス管が突出させているため、除霜時の熱対流伝導１８が冷却フィン幅１５内だけでなく両端フィン９ｂと仕切り壁１７とによって形成される隙間空間１９へも対流伝導するため、除霜を均一に且つ確実に行うと共に除霜速度にムラが生じなくなり除霜時間を短縮することができる。
【００２４】
また、両端の冷却フィン２１を１枚構成で上部両端フィン幅２２ａより下部両端フィン幅２２ｂが小さくなるよう斜め取付けさせており、ラジアントヒータ１０は両端の冷却フィン２１から外側にガラス管が突出しているため、除霜時の熱対流伝導２３が冷却フィン幅２２ｂ内だけでなく両端フィン２１と仕切り壁１７とによって形成される隙間空間１９へも対流伝導するため、除霜を均一に且つ確実に行うと共に除霜速度にムラが生じなくなり除霜時間を短縮することができる。
【００２５】
また、両端の冷却フィン２５を１枚構成で上部両端フィン幅２６ａより下部両端フィン幅２６ｂが小さくなるよう途中位置で屈曲形状で加工取付けさせており、ラジアントヒータ１０は両端の冷却フィン２５から外側にガラス管が突出させているため、除霜時の熱対流伝導２７が冷却フィン幅２６ｂ内だけでなく両端フィン２５と仕切り壁１７とによって形成される隙間空間１９へも対流伝導するため、除霜を均一に且つ確実に行うと共に除霜速度にムラが生じなくなり除霜時間を短縮することができる。
【００２６】
また、冷却フィン９を上下２段の冷却フィン９ａと９ｂに分けており、上段両端フィン幅２９ａより下段両端フィン幅２９ｂが大きく配置して、ラジアントヒータ１０は両端の冷却フィン９ｂから外側にガラス管が突出しないが、除霜時の熱対流伝導３０が冷却フィン幅２９ｂ内を経由して上段フィン部では上段両端フィン９ａと仕切り壁１７とによって形成される隙間空間１９へも対流伝導するため、除霜を均一に且つ確実に行うと共に除霜速度にムラが生じなくなり除霜時間を短縮することができる。
【００２７】
傘１２は「く」の字型に成型して挿入することで除霜水の水切り効果を高めると共に、冷却フィン９ｂに３点以上で当接することでガタツキの防止が図れる。
【００２８】
冷却器７とラジアントヒータ１０、傘１２を一体化し、冷却器７の冷媒管８とラジアントヒータ１０とをヒータホルダー１６によって引っ掛け固定することで、冷却フィン９ｂとラジアントヒータ１０との密着性とばらつきを小さく確実に維持でき、冷却システムユニットの小型化を実現できるため、余剰スペースを有効利用することで冷蔵庫の庫内内容積を増量することができる。
【産業上の利用可能性】
【００２９】
以上のように、本発明にかかる冷蔵庫は、可燃性冷媒を用いた安価な除霜ヒータを採用しても安全性を確保し除霜信頼性を向上できるもので冷蔵機器全般の用途にも適用できる。
【図面の簡単な説明】
【００３０】
【図１】本発明の実施の形態１における冷蔵庫の冷却器の正面図
【図２】同実施の形態における冷蔵庫の冷却器の除霜時の熱対流伝導説明図
【図３】（ａ）同実施の形態における冷蔵庫の冷却器の両端冷却フィン構造による両端フィン斜め仕様の除霜時の熱対流伝導説明図（ｂ）同実施の形態における冷蔵庫の冷却器の両端冷却フィン構造による両端フィン屈曲仕様の除霜時の熱対流伝導説明図（ｃ）同実施の形態における冷蔵庫の冷却器の両端冷却フィン構造による上段フィン幅大仕様の除霜時の熱対流伝導説明図
【図４】従来の冷蔵庫の冷却器の正面図
【符号の説明】
【００３１】
７，２０，２４，２８  冷却器
８    冷媒管
９ａ  上段冷却フィン
９ｂ  下段冷却フィン
１０  ラジアントヒータ（除霜ヒータ）
１１  キャップ
１２  傘
１３  切り欠き側部折曲形状
１４  切り欠き天部フランジ形状
１５ａ  上段両端フィン幅
１５ｂ  下段両端フィン幅
１６  ヒータホルダー
２１，２６  両端冷却フィン
２２ａ，２６ａ，２９ａ  上部両端フィン幅
２２ｂ，２６ｂ，２９ｂ  下部両端フィン幅
【図１】
2007298212.tif 000003
【図２】
2007298212.tif 000004
【図３】
2007298212.tif 000005
【図４】
2007298212.tif 000006